【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
交換レンズのレンズ側マウントと結合可能なカメラ側マウントと、
前記交換レンズのイメージサイズを表わす情報をカメラ本体に入力する入力手段と、
該入力手段によって入力された前記イメージサイズ情報に基づき、前記交換レンズのイメージサイズがそのままで前記カメラ本体側の撮像素子の撮像範囲に適合するか否かを判定する判定手段と、
該判定手段によって不適合と判定された場合、前記交換レンズを通過する光束によって形成される前記撮像素子上の像の、所定の範囲に対応する像を表わす画像信号に対して所定の信号処理を施すことにより、前記交換レンズのイメージサイズと前記カメラ本体側の撮像素子の撮像範囲を適合させる電子ズーム手段とを有する電子カメラにおいて、
前記撮像範囲に対応した測光領域を複数の測光領域に分割して測光する分割測光手段と、
前記入力手段によって入力された前記イメージサイズ情報に基づいて、前記分割測光手の複数の測光領域の中より、露光量の制御に用いる測光値の測定に用いる測光領域を設定する領域設定手段とを有することを特徴とする電子カメラ。
【請求項２】
前記領域設定手段により設定される測光領域は、前記撮像素子上の像のうち、前記電子ズーム手段によって前記所定の信号処理が施される前記所定の範囲に対応する領域であることを特徴とする請求項１に記載の電子カメラ。
【請求項３】
交換レンズのレンズ側マウントと結合可能なカメラ側マウントと、
領域を複数に分割して測光する分割測光手段とを有し、
前記複数の測光領域のうち露光量の制御に用いる測光値の測定に用いる測光領域が前記交換レンズからのイメージサイズ情報に基づいて異なり、当該測定に用いる測光領域はカメラ本体側の撮像素子の撮像範囲内であることを特徴とする電子カメラ。
【手続補正２】
【補正対象書類名】明細書
【補正対象項目名】０００１
【補正方法】変更
【補正の内容】
【０００１】
【発明の属する技術分野】本発明は、レンズ交換可能な電子カメラに関するものである。
【手続補正３】
【補正対象書類名】明細書
【補正対象項目名】００１１
【補正方法】変更
【補正の内容】
【００１１】
【課題を解決するための手段】上記目的を達成するために、請求項１に記載の本発明は、交換レンズのレンズ側マウントと結合可能なカメラ側マウントと、前記交換レンズのイメージサイズを表わす情報をカメラ本体に入力する入力手段と、該入力手段によって入力された前記イメージサイズ情報に基づき、前記交換レンズのイメージサイズがそのままで前記カメラ本体側の撮像素子の撮像範囲に適合するか否かを判定する判定手段と、該判定手段によって不適合と判定された場合、前記交換レンズを通過する光束によって形成される前記撮像素子上の像の、所定の範囲に対応する像を表わす画像信号に対して所定の信号処理を施すことにより、前記交換レンズのイメージサイズと前記カメラ本体側の撮像素子の撮像範囲を適合させる電子ズーム手段とを有する電子カメラにおいて、前記撮像範囲に対応した測光領域を複数の測光領域に分割して測光する分割測光手段と、前記入力手段によって入力された前記イメージサイズ情報に基づいて、前記分割測光手の複数の測光領域の中より、露光量の制御に用いる測光値の測定に用いる測光領域を設定する領域設定手段とを有する電子カメラとするものである。
【手続補正４】
【補正対象書類名】明細書
【補正対象項目名】００１２
【補正方法】変更
【補正の内容】
【００１２】
同じく、上記目的を達成するために、請求項３に記載の本発明は、交換レンズのレンズ側マウントと結合可能なカメラ側マウントと、領域を複数に分割して測光する分割測光手段とを有し、前記複数の測光領域のうち露光量の制御に用いる測光値の測定に用いる測光領域が前記交換レンズからのイメージサイズ情報に基づいて異なり、当該測定に用いる測光領域がカメラ本体側の撮像素子の撮像範囲内である電子カメラとするものである。
【手続補正５】
【補正対象書類名】明細書
【補正対象項目名】００２０
【補正方法】変更
【補正の内容】
【００２０】
２６は画像と撮像範囲が決定された時に該当する撮像範囲のマークを表示する機能を有する液晶ディスプレイ装置（以下、ＬＣＤと記す）、２７はＬＣＤ２６を制御すると共に、メモリ２５に一時的に記憶されたデジタル画像信号を受けて、これを画像として表示するのに最適な形態のアナログ信号に変換して前記ＬＣＤ２６へと伝送し、かつ撮像範囲が決定された時に透過型液晶板９を制御してファインダ視野枠を制御するＬＣＤ制御回路、２８は画像信号を所定の形態の画像データとして記録するメモリカード等から成る記録媒体、２９はメモリ２５に一時的に記憶されているデジタル画像信号を受けて所定の画像処理を施す画像処理手段である画像処理回路である。３０は画像処理回路２９からの出力信号を受けて記録媒体２８に記録するのに最適な画像データとなるように圧縮処理等を施すと共に、記録媒体２８に圧縮され記録されている画像データを読み出して、これに対して各種の画像処理を施し得る画像信号となるように伸長処理等を施す圧縮伸長回路である。
【手続補正６】
【補正対象書類名】明細書
【補正対象項目名】００２５
【補正方法】変更
【補正の内容】
【００２５】
また、２ａ，２ｂは、撮影レンズ２の後端面の所定の位置に設けられた電気接点であり、カメラ本体１側の前面に設けられた前記電気接点１ａ，１ｂと接触することで、カメラ本体１と撮影レンズ２とを電気的に接続し、該撮影レンズ２の記憶部４９から所定の情報をカメラ本体１側に出力したり、カメラ本体１のシステムコントローラ３からの制御信号を受け入れるためのものである。
【手続補正７】
【補正対象書類名】明細書
【補正対象項目名】００３６
【補正方法】変更
【補正の内容】
【００３６】
図２に示すように、カメラ本体１には、その上面の一側方寄りに、レリーズ部材５３や上記のイメージサイズ判別スタートスイッチ３８や撮影レンズ２のイメージサイズ情報に基づいて設定されている画面サイズの表示を行うＬＣＤ２６等が配設され、カメラ本体１の前面中央には、カメラ側マウント部５１等が配設され、撮影レンズ２には、前記カメラ側マウント部５１に着脱自在に装着される撮影レンズ側マウント５２等が配設されている。
【手続補正８】
【補正対象書類名】明細書
【補正対象項目名】００３７
【補正方法】変更
【補正の内容】
【００３７】
また、上記カメラ側マウント部５１の前面の一部には、上記撮影レンズ２が装着されたことを検出する撮影レンズ装着検出用ピン５０が配設されていて、撮影レンズ２が装着されると該装着検出用ピン５０が押し込まれ、カメラ本体内のシステムコントローラ３に図１のレンズ着脱検知部４１が装着確認信号を送信するようになっている。前記レリーズ部材５３内部にはレリーズＳＷ１，ＳＷ２が配置されており、その第１ストロークにより図１のスイッチＳＷ１がオンし、その第２ストロークによりスイッチＳＷ２がオンする。
【手続補正９】
【補正対象書類名】明細書
【補正対象項目名】００５４
【補正方法】変更
【補正の内容】
【００５４】
上記測光センサ１３の各エリアＡ１〜Ａ２４、Ｂ１〜Ｂ２４、……、Ｒ１〜Ｒ２４からの検出電流は、図１に示す測光回路１４に入力される。すると、測光回路１４では、入力された上記４３２分割の測光センサ１３の各エリアＡ１〜Ａ２４、Ｂ１〜２４、……、Ｒ１〜Ｒ２４の検出電流を検出電圧に変換してシステムコントローラ３に出力する。また、システムコントローラ３は、撮影レンズ２のイメージサイズ情報を基に、前述したように４３２分割の測光センサ１３の非有効領域を設定する。
【手続補正１０】
【補正対象書類名】明細書
【補正対象項目名】００６４
【補正方法】変更
【補正の内容】
【００６４】
詳しくは、「イメージサイズ（小）」の際、上記測光センサ１３の各グループに与えられる重み付け係数ａ，ｂ，ｃは、ａ＝１、ｂ＝１、ｃ＝０．８となる。
【手続補正１１】
【補正対象書類名】明細書
【補正対象項目名】００７２
【補正方法】変更
【補正の内容】
【００７２】
ステップ＃１１０１でグルーピング及び重み付けサブルーチンをスタートし、まずステップ＃１１０２において、上記イメージサイズ情報が「イメージサイズ（大）」、「イメージサイズ（中）」もしくは「イメージサイズ（小）」の何れであるかの判定を行う。この結果、「イメージサイズ（大）」であればステップ＃１１１１へ進み、「イメージサイズ（中）」であればステップ＃１１０３へ進み、「イメージサイズ（小）」であればステップ＃１１０７へ進む。
【手続補正１２】
【補正対象書類名】明細書
【補正対象項目名】００７３
【補正方法】変更
【補正の内容】
【００７３】
上記ステップ＃１１０２にて「イメージサイズ（大）」と判定してステップ＃１１１１へ進むと、ここでは「イメージサイズ（大）」の場合であるので、４３２分割の測光センサ１３の全エリアが有効領域となるため、測光範囲外エリアの設定処理は行わないでグルーピング処理を行う。グルーピング処理においては、図９に示されるように、中央部Ａ（グループＡ）は、Ｇ１０〜Ｇ１５、Ｈ１０〜Ｈ１５、……、Ｌ１０〜Ｌ１５を設定する。中央部Ａの周辺の第１の周辺部Ｂ（グループＢ）は、Ｄ７〜Ｄ１８、Ｅ７〜Ｅ１８、……、Ｏ７〜Ｏ１８を設定する。前記第１の周辺部Ｂの外側に配置される第２の周辺部Ｃ（グループＣ）は、Ａ１〜Ａ２４、Ｂ１〜Ｂ２４、……、Ｒ１〜Ｒ２４を設定する。
【手続補正１３】
【補正対象書類名】明細書
【補正対象項目名】００７５
【補正方法】変更
【補正の内容】
【００７５】
ステップ＃１１１３へ進むと、まず各グループ毎の測光値を演算する。グループＡの測光値ＶＡは、グループＡ内の各エリアの測光値ＶＧ１０〜ＶＧ１５、ＶＨ１０〜ＶＨ１５、……、ＶＬ１０〜ＶＬ１５を積算する事によって得る。グループＢの測光値ＶＢは、グループＢ内の各エリアの測光値ＶＤ７〜ＶＤ１８、ＶＥ７〜ＶＥ１８、……、ＶＯ７〜ＶＯ１８を積算する事によって得る。グループＣの測光値ＶＣは、グループＣ内の各エリアの測光値ＶＡ１〜ＶＡ２４、ＶＢ１〜ＶＢ２４、……、ＶＲ１〜ＶＲ２４を積算する事によって得る。次いで、後述の図１２のステップ＃１０１１にて逆光を判定するために用いられる、上記中央部Ａの測光値ＶＡに対してその重み付け係数ａにより重み付けされた逆光判定用中央測光値Ｓｖと、該中央部Ａ以外の測光範囲（上記第１の周辺部Ｂと第２の周辺部Ｃ）の各測光値ＶＢ，ＶＣに対してその重み付け係数ｂ，ｃにより重み付けされた値を基に得られる逆光判定用周辺測光値ＢＣｖとを設定する。
【手続補正１４】
【補正対象書類名】明細書
【補正対象項目名】００８１
【補正方法】変更
【補正の内容】
【００８１】
また、上記ステップ＃１１０２にて「イメージサイズ（小）」と判定してステップ＃１１０７へ進んだ場合、上記ステップ＃１００４で得られた撮影レンズ２のイメージサイズ情報を基に、４３２分割の測光センサ１３の非有効エリアを設定する。また、「イメージサイズ（小）」の場合は、ステップ＃１１０７の枠内に書かれているエリアが非有効エリアとなり、Ａ１〜Ａ２４、Ｂ１〜Ｂ２４、……、Ｒ１〜Ｒ２４となる。
【手続補正１５】
【補正対象書類名】明細書
【補正対象項目名】００８２
【補正方法】変更
【補正の内容】
【００８２】
次にステップ＃１１０８にて、有効な測光エリアについてグルーピング処理を行う。グルーピング処理においては、図１１に示されるように、中央部ＡはＩ１２、Ｉ１３、Ｊ１２、Ｊ１３を設定する。前記中央部Ａの周辺である第１の周辺部Ｂは、Ｈ１１〜Ｈ１４、Ｉ１１、Ｉ１４、Ｊ１１、Ｊ１４、Ｋ１１〜Ｋ１４を設定する。前記第１の周辺部Ｂの外側に配置される第２の周辺部Ｃは、Ｇ９〜Ｇ１６、Ｈ９、Ｈ１０、Ｈ１５、Ｈ１６、……、Ｌ９〜Ｌ１６を設定する。そして、次のステップ＃１１０９にて、グループＡ重み付け係数を、ａ＝１，ｂ＝１，ｃ＝０．８に設定し、ステップ＃１１１０へ進む。
【手続補正１６】
【補正対象書類名】明細書
【補正対象項目名】００８７
【補正方法】変更
【補正の内容】
【００８７】
図１４のステップ＃１２０１にてストロボモード判定サブルーチンをスタートし、まずステップ＃１２０２にて、上記図１２のステップ＃１００４にてストロボの発光停止が設定されたか否かを判定する。この結果、ストロボの発光停止が設定されていなければステップ＃１２０４へ進み、ストロボ発光フラグＦＳを立てて（ＦＳ＝１（ストロボ発光許可））、ステップ＃１２０５へ進む。一方、ステップ＃１２０２にてストロボの発光停止が設定されていればステップ＃１２０３へ進み、該ストロボ発光フラグＦＳを立てずに（ＦＳ＝０（ストロボ発光禁止））、ステップ＃１２０５へ進む。
【手続補正１７】
【補正対象書類名】図面
【補正対象項目名】図４
【補正方法】変更
【補正の内容】
【図４】
2003134390.tif 000001
【手続補正１８】
【補正対象書類名】図面
【補正対象項目名】図１２
【補正方法】変更
【補正の内容】
【図１２】
2003134390.tif 000002